(57)【特許請求の範囲】
【請求項１】
蓄電池と、
前記蓄電池を着脱可能に収容する筐体と、
前記筐体に搭載され、外部から供給される電圧に基づいて前記蓄電池を充電する機能及び前記蓄電池の電圧に基づいて所望の電圧を出力する機能を有する充放電制御装置と、
前記蓄電池の温度を測定するための温度センサと、
前記筐体側に取り付けられ、前記温度センサを保持し、前記筐体内の所定位置に装着された前記蓄電池に対し、所定方向への弾発力をもって前記温度センサの感熱部を押し当てるよう付勢する保持装置と
を備え、
前記保持装置は、前記温度センサが取り付けられる保持板と、当該保持板を前記所定方向へ付勢する弾性体とを有し、
付勢された方向と平行に前記保持板が移動するように案内するガイド棒が、前記保持板に設けられていることを特徴とする蓄電装置。
【請求項２】
前記保持板は、前記温度センサを、当該保持板上で位置決めする部位を有する請求項１記載の蓄電装置。
【請求項３】
前記蓄電池は、複数のバッテリの集合体であり、
前記温度センサ及び前記保持装置は、前記バッテリの各々に対応して複数箇所に設けられている請求項１記載の蓄電装置。
【請求項４】
前記蓄電池の着脱時に前記蓄電池を載せたまま移動できるスライダを備え、
前記温度センサ及び前記保持装置は、前記スライダの移動方向における奥側と手前側とにそれぞれ設けられている請求項３記載の蓄電装置。
【請求項５】
蓄電池と、
前記蓄電池を着脱可能に収容する筐体と、
前記筐体に搭載され、外部から供給される電圧に基づいて前記蓄電池を充電する機能及び前記蓄電池の電圧に基づいて所望の電圧を出力する機能を有する充放電制御装置と、
前記蓄電池の温度を測定するための温度センサと、
前記筐体側に取り付けられ、前記温度センサを保持し、前記筐体内の所定位置に装着された前記蓄電池に対し、所定方向への弾発力をもって前記温度センサの感熱部を押し当てるよう付勢する保持装置と
を備え、
前記蓄電池は、複数のバッテリの集合体であり、
前記温度センサ及び前記保持装置は、前記バッテリの各々に対応して複数箇所に設けられており、
前記蓄電池の着脱時に前記蓄電池を載せたまま移動できるスライダを備え、
前記温度センサ及び前記保持装置は、前記スライダの移動方向における奥側と手前側とにそれぞれ設けられており、
手前側の前記温度センサ及び前記保持装置は、前記蓄電池の端面を覆う中扉に設けられる
ことを特徴とする蓄電装置。
【請求項６】
前記保持板は、プリント基板である請求項１記載の蓄電装置。
【請求項７】
蓄電池と、
前記蓄電池を着脱可能に収容する筐体と、
前記筐体に搭載され、外部から供給される電圧に基づいて前記蓄電池を充電する機能及び前記蓄電池の電圧に基づいて所望の電圧を出力する機能を有する充放電制御装置と、
前記蓄電池の温度を測定するための温度センサと、
前記筐体側に取り付けられ、前記温度センサを保持し、前記筐体内の所定位置に装着された前記蓄電池に対し、所定方向への弾発力をもって前記温度センサの感熱部を押し当てるよう付勢する保持装置と
を備え、
前記保持装置は、前記温度センサが取り付けられる保持板と、当該保持板を前記所定方向へ付勢する弾性体とを有し、
前記温度センサは、フレキシブルプリント基板に設けられ、当該フレキシブルプリント基板が前記保持板に固着されている
ことを特徴とする蓄電装置。
【発明の詳細な説明】
【技術分野】
【０００１】
本発明は、筐体内に蓄電池を収容した蓄電装置に関し、例えば、可搬型の筐体に収容した蓄電池を充電しておき、必要な時に、所望の電圧を供給する非常用電源となる蓄電装置に関する。
【背景技術】
【０００２】
充電可能なバッテリ（例えば鉛蓄電池）を筐体内に収容した蓄電装置は、負荷への電力供給により放電し、また、電力供給しなくても、自然放電する。従って、放電状況を見ながら適時に充電を行う必要がある。充電中は、過充電になると温度が上昇するので、温度センサを設けて、温度が上限値以下となるように充電を制御する。また放電により、連続的に大電流を供出する場合にも温度が上昇するので、温度が上限値以下になるように放電を制御する。
【０００３】
バッテリの温度を測定するには、例えば、バッテリのケースに設けた穴に温度センサを差し込む構成が知られている（例えば特許文献１，２参照。）。また、ケースの表面に貼り付けたり、ねじで固定したりする温度センサも、市販されている。
【先行技術文献】
【特許文献】
【０００４】
【特許文献１】特開２００２−５０４１１号公報（図２）
【特許文献２】特開平１１−１９５４３６号公報（図２，図５，図７）
【発明の概要】
【発明が解決しようとする課題】
【０００５】
しかしながら、ケースに設けられた穴に温度センサを収容するには、特殊なケース構造が必要となる。また、このような特殊なケース構造に用いる温度センサは、汎用品では不適で、特殊品が必要となる場合が多い。従って、このような温度センサ付きのバッテリは、汎用のバッテリに比べると、高価なものとなる。当然に、このようなバッテリを複数個搭載する蓄電装置はさらに高価になる。
【０００６】
また、バッテリは経年劣化するため、定期的に交換が必要となるが、バッテリ交換時に温度センサの接続をやり直すのは面倒である。特に、ユーザーサイドで、バッテリ交換に慣れていない作業者がこれを行うと、誤接続や、接続のし忘れを招く可能性もある。
【０００７】
一方、バッテリに温度センサを貼り付ける方式でも、貼り付け不良で正確な温度測定ができなくなる可能性がある。また、バッテリを装着する際に温度センサのリード線が邪魔になり、誤ってリード線を損傷させる可能性もある。
【０００８】
かかる従来の問題点に鑑み、本発明は、脱着される蓄電池に対する温度センサの取り付けが容易な蓄電装置を提供することを目的とする。
【課題を解決するための手段】
【０００９】
（１）本発明の蓄電装置は、蓄電池と、前記蓄電池を着脱可能に収容する筐体と、前記筐体に搭載され、外部から供給される電圧に基づいて前記蓄電池を充電する機能及び前記蓄電池の電圧に基づいて所望の電圧を出力する機能を有する充放電制御装置と、前記蓄電池の温度を測定するための温度センサと、前記筐体側に取り付けられ、前記温度センサを保持し、前記筐体内の所定位置に装着された前記蓄電池に対し、所定方向への弾発力をもって前記温度センサの感熱部を押し当てるよう付勢する保持装置とを備えたものである。
【００１０】
上記のように構成された蓄電装置において、温度センサは、蓄電池側ではなく、筐体側にあって、保持装置により、所定位置に装着された蓄電池に押し当てられる。これにより、蓄電池の温度測定を行うことができる。このような構成では、蓄電池と温度センサとをセットにする必要が無いので、蓄電池を交換する際は、温度センサを気にせずとも、単に蓄電池のみを取り替えればよい。すなわち、このような保持装置が設けられていることによって、蓄電池を交換するたびに新しい蓄電池に温度センサを取り付ける（あるいは取り付け直す）作業が不要となる。また、蓄電池自体に温度センサを付属させないことにより、汎用の蓄電池を使用することができる。
【００１１】
（２）また、上記（１）の蓄電装置において、保持装置は、温度センサが取り付けられる保持板と、当該保持板を所定方向へ付勢する弾性体とを有するものであってもよい。
そもそも、温度センサ自体は機械的強度が十分とは言えず、動くことや押されることには適さない。しかし、このように、十分な機械的強度を確保し得る保持板に温度センサを取り付けることによって、いわば一構造部材化すれば、動きやすく、かつ、弾性体の弾発力を受け止めるに適する。
【００１２】
（３）また、上記（２）の蓄電装置において、付勢された方向と平行に保持板が移動するように案内するガイド棒が、当該保持板に設けられていてもよい。
この場合、保持板は、弾性体により付勢された方向と平行に移動する。すなわち、所望の方向への保持板の移動を、このガイド棒によって担保することができる。
【００１３】
（４）また、上記（２）又は（３）の蓄電装置において、保持板は、温度センサを、当該保持板上で位置決めする部位を有することが好ましい。
この場合、温度センサの位置が安定することにより、位置ずれを防止できるとともに、ずれ動きによる温度センサのリード線の断線等を防止することができる。
【００１４】
（５）また、上記（１）の蓄電装置において、蓄電池は、複数のバッテリの集合体であり、温度センサ及び保持装置は、バッテリの各々に対応して複数箇所に設けられている、という構成であってもよい。
この場合、全てのバッテリの温度を個々に測定することができる。
【００１５】
（６）また、上記（５）の蓄電装置において、蓄電池の着脱時に蓄電池を載せたまま移動できるスライダを備え、温度センサ及び保持装置は、スライダの移動方向における奥側と手前側とにそれぞれ設けられている、という構成であってもよい。
この場合、特に奥側の保持装置の弾発力は、筐体内に装着された蓄電池が所定位置で止まる時の衝撃吸収にも寄与する。また、この場合、蓄電池の装着時に、スライド中の蓄電池に対して温度センサの感熱部を押し当てることはなく、スライド完了して初めて蓄電池に対して温度センサの感熱部を押し当てることになるので、温度センサを破損させる可能性がほとんど無い。
【００１６】
（７）また、上記（６）の蓄電装置において、手前側の温度センサ及び保持装置は、蓄電池の端面を覆う中扉に設けられていてもよい。
この場合、筐体を完全に閉鎖する前に、温度センサの感熱部を押し当てたことを、確認することができる。
【００１７】
（８）また、上記（２）の蓄電装置において、保持板は、プリント基板であってもよい。
この場合、温度センサに付属する素子やコネクタを搭載するプリント基板を、機械的な部品である保持板として利用することができる。
【００１８】
（９）また、上記（２）の蓄電装置において、温度センサは、フレキシブルプリント基板に設けられ、当該フレキシブルプリント基板が保持板に固着されていてもよい。
この場合、柔軟性に富むフレキシブルプリント基板上で、温度センサとその周辺の電子回路素子との接続を実現することができるので、リード線不要となり、断線を防止することができる。また、コネクタも不要であるので、便利である。
【発明の効果】
【００１９】
本発明の蓄電装置によれば、脱着される蓄電池に対する温度センサの取り付けが容易である。また、かかる蓄電装置は、汎用の蓄電池を使用することができ、至便であり、かつ、低コストである。
【図面の簡単な説明】
【００２０】
【図１】本発明の一実施形態に係る蓄電装置を示す図であり、（ａ）は側面図、（ｂ）は正面図である。
【図２】一方の側面パネルを取り外した状態での蓄電装置の斜視図である。
【図３】他方の側面パネルを取り外した状態での蓄電装置の斜視図である。
【図４】左右の側面パネルを外し、正面パネルの図示を省略した状態での蓄電装置の内部正面図である。
【図５】図４における右側の点線の丸印で示す部位Ｐ３の部分拡大図である。
【図６】（ａ）、（ｂ）、（ｃ）はそれぞれ、温度センサの取付構造に関する正面図、側面図、背面図である。
【図７】（ａ）及び（ｂ）はそれぞれ、温度センサの取付構造に関する正面側からの斜視図及び背面側からの斜視図である。
【図８】図４における左側の点線の丸印で示す部位Ｐ１，Ｐ２の部分拡大図である。
【図９】（ａ）及び（ｂ）はそれぞれ、側面パネルを外して、中扉を開いている途中の状態における、蓄電装置の側面図及び正面図である。
【図１０】中扉を開いた状態から、蓄電池を載せたスライダを引き出す途中の状態を示す内部正面図である。
【図１１】奥側にある温度センサ及び保持装置の状態を、図１０から抜き出して示す部分拡大図である。
【図１２】手前側の、中扉に取り付けられている温度センサ及び保持装置の状態を、図１０から抜き出して示す部分拡大図である。
【図１３】温度センサ及び保持板等に関する第２実施例を示す斜視図であり、（ａ）はチップタイプの温度センサが実装される表面側を示し、（ｂ）はコネクタが実装される裏面側を示している。
【図１４】温度センサ及び保持板等に関する第３実施例を示す図であり、（ａ）は斜視図、（ｂ）は側面図である。
【図１５】図１１におけるばね、ガイド棒、ストッパ及びねじを、ゴムやスポンジのような弾性材に置き換えた一例を示す図である。
【発明を実施するための形態】
【００２１】
《蓄電装置の全体構造》
図１は、本発明の一実施形態に係る蓄電装置を示す図であり、（ａ）は側面図、（ｂ）は正面図である。この蓄電装置１は、主として非常用電源として使用される可搬型の装置である。蓄電装置１の筐体２は、正面上部が斜め傾斜している以外は概ね直方体の箱状である。筐体２は、通気孔等がある他は、概ね閉鎖されている。正面上部には、グリップ３が取り付けられている。底面にはキャスタ４が取り付けられており、グリップ３を握って蓄電装置１を移動させることができる。なお、（ａ）における内側の２つのキャスタ４は、後述するスライダに付属するキャスタである。また、正面下部のレバー５を足で操作することにより、所望の位置で蓄電装置１を移動ロック状態にすることができる。
【００２２】
筐体２の正面パネル２ｆには、例えばＡＣ１００Ｖ出力用のアウトレット６が二箇所に設けられている。また、その少し上に、操作・モニタ部７が設けられている。
筐体２の背面側には、商用交流電源のコンセントに差し込むプラグ８ａ及び被覆電線８ｂが付属して設けられており、外部から例えばＡＣ１００Ｖを供給することができる。
筐体２の側面パネル２ｓは、バッテリ交換や保守の際に、着脱が比較的容易なように、取り付けられている。
【００２３】
図２は、一方の側面パネル２ｓを取り外した状態での蓄電装置１の斜視図であり、また、図３は、他方の側面パネル２ｓを取り外した状態での蓄電装置１の斜視図である。図２，図３において、筐体２の内部は、上下２段構造となっている。筐体２の上段には、充放電制御装置（電力変換装置）９が収容され、下段には、蓄電池１０が収容されている。蓄電池１０は、本例では、汎用性のある鉛蓄電池（以下、バッテリという。）１０ｂを、２行２列に合計４個並べたものである。バッテリ１０ｂは、例えば、定格電圧が１２Ｖで、２直列（ＤＣ２４Ｖ）の２並列回路を構成するように接続される。
【００２４】
充放電制御装置９は、外部から供給される商用交流の電圧（ＡＣ１００Ｖ）を、降圧、整流、平滑して、所定の直流電圧により、蓄電池１０（４個のバッテリ１０ｂを２直列２並列に接続したもの）を充電することができる。また、充放電制御装置９は、昇圧及びインバータ機能を有しており、蓄電池１０の電圧（ＤＣ２４Ｖ）から商用交流と同等の電圧（ＡＣ１００Ｖ）を生成し、アウトレット６に供給することができる。
【００２５】
蓄電池１０は、スライダ１１に載せた状態で、ベルト１２（図３）により固定されている。蓄電池１０を載せたスライダ１１は、図２の矢印方向に、移動可能である。このスライダ１１により、蓄電池１０は、筐体２に対して容易に着脱可能となっている。図示の状態では、蓄電池１０を載せたスライダ１１は、筐体２内の所定位置に収容されている。すなわち、蓄電池１０は、所定位置に装着された状態である。また、この状態で、スライダ１１は、ねじ１３により、底板１４に固定されている。
【００２６】
また、中扉１５（図２）は、例えば透明な樹脂製であり、上段の棚板１６に左右一対の蝶番１７を用いて取り付けられている。また、中扉１５の下部は、底板１４に、左右一対のねじ１８で、固定されている。このねじ１８を外せば、中扉１５を上方へ回動させて開くことができる。また、その状態で、スライダ１１固定用のねじ１３を外し、スライダ１１を手前に引くと、スライダ１１と共に蓄電池１０を引き出すことができる。
【００２７】
上記のように構成された蓄電装置１においては、蓄電池１０における各バッテリ１０ｂの温度を測定するための温度センサが設けられている。温度センサによって測定されたいずれかのバッテリ１０ｂの温度が上限値を超えると、充放電制御装置９は、充電又は放電を停止させる。
【００２８】
《温度センサの取り付けに関する構造：第１実施例》
次に、かかる温度センサを取り付ける構造に関して詳細に説明する。
温度センサは、４個のバッテリ１０ｂのためにそれぞれ（計４個）用意されており、各バッテリ１０ｂの温度を個々に測定することができる。温度センサは、図２における中扉１５の裏面（内側）上部（点線の丸印で囲んでいる部位Ｐ１，Ｐ２）にそれぞれ１個取り付けられる。これらの温度センサは、スライダ１１によるスライド方向の手前側にある２個のバッテリ１０ｂ用である。
【００２９】
また、残りの２個の温度センサは、図３に示すセンサ取付板１９の裏面（内側）に、水平方向へ２つ並べて取り付けられている（点線の丸印で囲んでいる部位Ｐ３）。センサ取付板１９の上端部は棚板１６に固定され、下端部は底板１４に固定されている。当該２つの温度センサは、スライド方向の奥側にある２個のバッテリ１０ｂ用であり、各バッテリ１０ｂの隣り合う端部近辺に押しつけられるように、取り付けられている。なお、このようなセンサ取付板１９は一例に過ぎず、２個のバッテリ１０ｂにそれぞれ別個独立にセンサ取付板を設けてもよいことは言うまでもない。
【００３０】
図４は、左右の側面パネル２ｓを外し、正面パネル２ｆの図示を省略した状態での蓄電装置１の内部正面図である。なお、実際には、蓄電池１０を構成する各バッテリ１０ｂから充放電制御装置９への接続ケーブルが存在するが、これらの図示は省略している。
図４において、点線の丸印で示す部位Ｐ１，Ｐ２は、図２のＰ１，Ｐ２にそれぞれ相当する。また、点線の丸印で示す部位Ｐ３は、図３のＰ３に相当する。温度センサ２０は、これらの部位に設けられている。温度センサ２０は、蓄電池１０側に設けられているのではなく、筐体２側に設けられている。
【００３１】
図５は、図４における右側の点線の丸印で示す部位Ｐ３の部分拡大図である。また、図６の（ａ）、（ｂ）、（ｃ）はそれぞれ、温度センサ２０の取付構造に関する正面図、側面図、背面図である。図７の（ａ）及び（ｂ）はそれぞれ、温度センサ２０の取付構造に関する正面側からの斜視図及び背面側からの斜視図である。
【００３２】
まず、図６において、温度センサ２０は、例えばサーミスタである感熱部２０ａと、付属のリード線２０ｂとを備えている。感熱部２０ａの形状については種々のものが市販されているが、ここで用いるのは例えば図示のような形状で、若干扁平である。扁平であることは、バッテリ１０ｂに対して、なるべく広い面積で押し当てることができる点で好ましい。
【００３３】
次に、この温度センサ２０を保持している保持装置２００の一例について、図６又は図７を参照して説明する。保持装置２００は、樹脂又は金属製の保持板２１、圧縮コイル型のばね２２、保持板２１に立設されたガイド棒２３、環状のストッパ２４、ストッパ２４をガイド棒２３の端部に螺着するねじ２５、及び、リード線２０ｂを縛り付けるロックバンド２６を備えている。ばね２２は、ガイド棒２３に外挿され、かつ、ばね２２の内径はガイド棒２３の外径より大きい。
保持板２１の一端側には、切り欠き２１ｅと、孔２１ｆとが形成されており、これらを通してロックバンド２６を巻き、リード線２０ｂを保持板２１に縛り付けることができる。
【００３４】
保持板２１の表面側（温度センサ２０側）には、感熱部２０ａを位置決めするとともに、接着剤を流し込んで温度センサ２０を接着固定するための凹部２１ｄが形成されている。凹部２１ｄの深さは、温度センサ２０が埋没するほどではなく、図６の（ｂ）又は図７の（ａ）に示すように、少しだけ入り込む程度である。従って、温度センサ２０は保持板２１の表面から突出している。凹部２１ｄを設けることで、温度センサ２０の位置決めが容易にでき、その位置が安定する。その結果、温度センサ２０の位置ずれを防止できるとともに、ずれ動きによるリード線２０ｂの断線等を防止することができる。
【００３５】
なお、凹部２１ｄを設けるのは一例に過ぎない。他にも例えば、温度センサ２０のまわりに若しくはまわりの一部に、土手のような低い突起を設けてもよい。さらにまた、凹部も突起も設けずに、平面に温度センサ２０を接着してもよい。但し、この場合は、万一接着が取れると、温度センサ２０がずれ動いたり、リード線２０ｂの断線を招いたりする可能性がある。
【００３６】
一方、保持板２１の裏面は、上記の凹部２１ｄを設けるために若干厚肉とされた中央部２１ａと、中央部に比べて薄肉の端部２１ｂ，２１ｃとによって構成されている。ガイド棒２３は、端部２１ｂ，２１ｃの表面に対して垂直に立設されている。２つのガイド棒２３が、保持板２１に対して斜めに（対角線的に）配置されているのは、実質的に最小数（＝２）のガイド棒２３でバランス良く、保持板２１を支持するためである。
【００３７】
ここで、図５に戻る。図５は、上記のように構成された保持装置２００を、センサ取付板１９に取り付けた状態を示している。取り付け要領は、まず、１個の保持装置２００につき、２つのガイド棒２３を通す孔（図示せず。）をセンサ取付板１９に設けておく。そして、ストッパ２４とねじ２５とを外した状態でガイド棒２３のみを当該孔に通し、その後、図５に示すように、ガイド棒２３の端面にストッパ２４とねじ２５とを取り付ける。バッテリ１０ｂが所定位置に収容されている状態では、温度センサ２０（感熱部２０ａ）がバッテリ１０ｂに押しつけられ、ばね２２が若干圧縮された状態となる。なお、ガイド棒２３は、ばね２２により付勢された方向と平行に保持板２１が移動するように案内する役目を有している。
【００３８】
図８は、図４における左側の点線の丸印で示す部位Ｐ１，Ｐ２の部分拡大図である。ここにも上記の保持装置２００が使用されている。図８において、中扉１５には、ねじ２８により、保持装置２００取り付け用の金具２７が取り付けられている。保持装置２００は、この金具２７に、図５と同様の要領で、但し左右逆に、取り付けられている。バッテリ１０ｂが所定位置に収容され、かつ、中扉１５が図２に示すように閉められた状態では、温度センサ２０（感熱部２０ａ）がバッテリ１０ｂに押しつけられ、ばね２２が若干圧縮された状態となる。
【００３９】
図９の（ａ）及び（ｂ）はそれぞれ、側面パネル２ｓ（図１）を外して、中扉１５を開いている途中の状態における、蓄電装置１の側面図及び正面図である。この場合、中扉１５に取り付けられている温度センサ２０は保持装置２００や金具２７と共に上方へ回動し、バッテリ１０ｂから離れる。さらに中扉１５を回動させると、筐体２に中扉１５を仮止めできる構造となっている。
【００４０】
図１０は、中扉１５を開いた状態から、蓄電池１０を載せたスライダ１１を引き出す途中の状態を示す内部正面図である。この状態では、スライド方向の奥側（図１０の右側）にある温度センサ２０（２組）も、バッテリ１０ｂから離れる。
図１１は、奥側にある温度センサ２０及び保持装置２００の状態を、図１０から抜き出して示す部分拡大図である。この場合、ばね２２は伸び、温度センサ２０はセンサ取付板１９に対して左方へ移動するが、ストッパ２４がセンサ取付板１９に当接することによりそれ以上は移動しない。すなわち、ストッパ２４が、温度センサ２０の移動規制をしている。
【００４１】
図１２は、手前側の、中扉１５に取り付けられている温度センサ２０及び保持装置２００の状態を、図１０から抜き出して示す部分拡大図である。この場合も、ばね２２は伸び、温度センサ２０は中扉１５から離れる方向へ移動するが、ストッパ２４がセンサ取付板１９に当接することによりそれ以上は移動しない。すなわち、ストッパ２４が、温度センサ２０の移動規制をしている。
【００４２】
バッテリ交換あるいは点検等を行った後、蓄電池１０を載せたスライダ１１は、図１０に示す要領で筐体２に挿入され、所定位置に収容される。このとき、まず、図５に示すように、奥側のバッテリ１０ｂが温度センサ２０を押すことによって、逆に言えば、温度センサ２０は、バッテリ１０ｂに押し当てられる。このとき、ばね２２を圧縮することによる弾発力をもって、温度センサ２０がバッテリ１０ｂに押し当てられる。すなわち、保持装置２００は、温度センサ２０を保持するだけでなく、筐体２内の所定位置に装着されたバッテリ１０ｂに対し、ばね２２が伸びようとする所定方向への弾発力をもって、温度センサ２０の感熱部２０ａを押し当てるよう付勢する装置である。
【００４３】
その後、中扉１５を閉めることにより、図８に示すように、中扉１５に取り付けられている温度センサ２０は、手前側のバッテリ１０ｂに押し当てられる。このときも、ばね２２を圧縮することによる弾発力をもって、温度センサ２０がバッテリ１０ｂに押し当てられる。
【００４４】
以上、詳述したように、この蓄電装置１においては、温度センサ２０は、蓄電池１０側ではなく、筐体２側にあって、保持装置２００により、所定位置に装着された蓄電池１０（バッテリ１０ｂ）に押し当てられる。これにより、蓄電池１０（バッテリ１０ｂ）の温度測定を行うことができる。このような構成では、蓄電池１０（バッテリ１０ｂ）と温度センサ２０とをセットにする必要が無いので、蓄電池１０を交換する際は、温度センサ２０を気にせずとも、単に蓄電池１０のみを取り替えればよい。
【００４５】
すなわち、このような保持装置２００が設けられていることによって、蓄電池１０を交換するたびに新しい蓄電池１０に温度センサを取り付ける（あるいは取り付け直す）作業が不要となる。かかる蓄電装置１によれば、脱着される蓄電池１０に対する温度センサ２０の取り付けが容易である。
【００４６】
また、蓄電池１０自体に温度センサを付属させないことにより、汎用のバッテリを使用することができ、至便であり、かつ、低コストである。さらに、ばね２２の弾発力が、装着された蓄電池１０（バッテリ１０ｂ）の微小な位置ずれを吸収する。従って、着脱作業の習熟度等の不安定要因に影響されることなく、確実に温度測定を行える状態とすることができる。
【００４７】
また、上記の温度センサ２０に関する構造は、温度センサ２０のみをバッテリ１０ｂに押し当てるのではなく、温度センサ２０が取り付けられている保持板２１を所定方向に付勢する構造である。そもそも、温度センサ２０自体は小さな部品であり、機械的強度が十分とは言えず、動くことや押されることには適さない。しかし、このように、十分な機械的強度を確保し得る保持板２１に温度センサ２０を取り付けることによって、いわば一構造部材化すれば、動きやすく、かつ、ばね２２の弾発力を受け止めるに適する。
【００４８】
また、上記の蓄電装置１において、温度センサ２０及び保持装置２００は、スライダ１１の移動方向における奥側と手前側とにそれぞれ設けられている。この場合、特に奥側の保持装置２００の弾発力は、筐体２内に装着された蓄電池１０が所定位置で止まる時の衝撃吸収にも寄与する。また、この場合、蓄電池１０の装着時に、スライド中の蓄電池１０に対して温度センサ２０の感熱部２０ａを押し当てることはなく、スライド完了して初めて蓄電池１０に対して温度センサ２０の感熱部２０ａを押し当てることになるので、スライド中に温度センサ２０を破損させる可能性がほとんど無い。
【００４９】
また、スライド方向の手前側の温度センサ２０及び保持装置２００は、蓄電池１０の端面を覆う中扉１５に設けられるので、側面パネル２ｓを取り付けて筐体２を完全に閉鎖する前に、温度センサ２０の感熱部２０ａを押し当てたことを、作業者が確認できる。なお、中扉１５は前述のように透明であるため、この確認は容易である。
【００５０】
《温度センサ及び保持板等に関する第２実施例》
図１３は、温度センサ及び保持板等に関する第２実施例を示す斜視図であり、（ａ）はチップタイプの温度センサ３０が実装される表面側を示し、（ｂ）はコネクタ３２が実装される裏面側を示している。この保持板３１は、温度センサ３０用のプリント基板（例えばエポキシ樹脂又はガラスエポキシ樹脂）であり、当該基板を、図７における保持板２１と同様に、機械的な部品として利用したものである。温度センサ３０とコネクタ３２とは互いに、プリント基板である保持板３１に設けられたパターンにより接続されている。なお、図示は省略しているが、これ以外にも裏面に若干の電子回路素子が搭載される場合がある。
【００５１】
保持板３１には、金属製で機械的強度を確保したスリーブ３１ｈが設けられている。そして、その孔３１ｇに、図６，図７と同様の、ガイド棒２３を固着し、ばね２２、ストッパ２４、ねじ２５を取り付ければ、第１実施例の温度センサ及び保持装置と同様に使用できる。筐体２への取付構造は、第１実施例と同様であるので、ここでは省略する。
このような第２実施例の温度センサ３０及び保持板３１において、温度センサ３０は、保持板３１の表面より突出しており、保持板３１に弾発力を付与すれば、第１実施例と同様に、バッテリ１０ｂに押し当てることができる。
【００５２】
《温度センサ及び保持板等に関する第３実施例》
図１４は、温度センサ及び保持板等に関する第３実施例を示す図であり、（ａ）は斜視図、（ｂ）は側面図である。本例の保持板４１は、第１実施例と同様に、樹脂又は金属製である。但し、単純な平板である。また、ばね２２、ガイド棒２３、ストッパ２４、及び、ねじ２５については、第１実施例と同様である。主に第１実施例と異なるのは、フレキシブルプリント基板４２を使用した点である。このフレキシブルプリント基板４２を保持板４１に固着して、表面に、第２実施例と同様のチップタイプの温度センサ３０を実装する。この場合、コネクタは不要である。周辺の電子回路素子は、保持板４１から外れたところに実装すればよい。筐体２への取付構造は、第１実施例と同様である。
【００５３】
上記第３実施例では、柔軟性に富むフレキシブルプリント基板４２上で、温度センサ３０とその周辺の電子回路素子との接続を実現することができるので、リード線不要となり、断線を防止することができる。また、コネクタも不要であるので、便利である。
【００５４】
《その他の補足》
なお、上記実施形態の温度センサ及び保持板等に関する各実施例では、ばね２２を弾性体として用いているが、代わりに軟質のゴム（天然ゴム、ウレタンゴム、シリコンゴム）やスポンジを使用して、その弾発力を保持板に付与することもできる。
例えば、図１５は、図１１におけるばね２２、ガイド棒２３、ストッパ２４及びねじ２５を、ゴムやスポンジのような弾性材５０に置き換えた一例を示す図である。この場合は、弾性材５０の伸縮方向の両面を確実にセンサ取付板１９と保持板２１とに固着しておけば、同様の弾発力をもって温度センサ２０をバッテリ１０ｂに押し当てることができる。
【００５５】
なお、上記実施形態では、インバータ機能を含む充放電制御装置９を用いて蓄電池１０からＡＣ１００Ｖを出力できる蓄電装置１について説明したが、非常用に直流電源を供給する場合は、充放電制御装置９にＤＣ／ＡＣ変換機能は不要である。
また、上記実施形態では、可搬型の蓄電装置について説明したが、据え置き型の蓄電装置であっても、何らかの筐体に蓄電池を出し入れする構造であれば、同様な温度センサ及びその保持装置を適用することができる。
【００５６】
また、上記実施形態の蓄電池は、例えば鉛蓄電池であるとしたが、その他の二次電池についても、昇温による充放電制御等が必要な場合には、上記と同様の、温度センサ及びその保持装置を適用することができる。
【００５７】
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【００５８】
なお、特許請求の範囲に記載される本発明とは別に、あるいは併用的に、温度センサをヒータに置き換えた加熱構造も実現可能である。例えば冬季の気温が非常に低い寒冷地では鉛蓄電池の能力が低下する。そのため、ヒータで暖めることが必要である。このような場合に、上記実施形態の如く、筐体側に設けられたヒータをバッテリに押し当てる構成とすれば、バッテリを交換しても、簡単にヒータを押し当てることができる。但し、これは、ヒータ用の別電源が必要となるので、例えば太陽電池パネルと併用される蓄電装置の場合や、非常用電源としてではなく主として常用的に直流電源として使用される蓄電装置の場合に実用性が生じる構成である。
【符号の説明】
【００５９】
１  蓄電装置
２  筐体
９  充放電制御装置
１０  蓄電池
１０ｂ  バッテリ
１１  スライダ
１５  中扉
２０  温度センサ
２１  保持板
２１ｄ  凹部
２２  ばね
２３  ガイド棒
３１  保持板（プリント基板）
４１  保持板（フレキシブルプリント基板）
２００  保持装置
【図１】
0005915311.tif 000002
【図２】
0005915311.tif 000003
【図３】
0005915311.tif 000004
【図４】
0005915311.tif 000005
【図５】
0005915311.tif 000006
【図６】
0005915311.tif 000007
【図７】
0005915311.tif 000008
【図８】
0005915311.tif 000009
【図９】
0005915311.tif 000010
【図１０】
0005915311.tif 000011
【図１１】
0005915311.tif 000012
【図１２】
0005915311.tif 000013
【図１３】
0005915311.tif 000014
【図１４】
0005915311.tif 000015
【図１５】
0005915311.tif 000016